(57)【特許請求の範囲】
【請求項１】
一側端面に正極側突出部を、他側端面に負極側平坦部を有してなる少なくとも１以上の電池を通電可能に収納する電池収納部は、前記電池を収納した際に前記正極側突出部と凸状接点を介して接触させるべく配置される正極側導電金具片を前記凸状接点よりもその座高を高くして該凸状接点周りに配置して位置固定すべく突設された固定用突起を備え、
前記正極側導電金具片は、前記固定用突起が位置する部位を切り開いて切欠部を確保して立ち上がらせた固定用爪片の掛止縁を前記切欠部から突出させた前記固定用突起と掛合させて前記電池収納部側に位置固定させることで、前記凸状接点を電池収納部側に収納された前記電池における前記正極側突出部との接触のみを可能に配置したことを特徴とする電池収納部における電池誤挿入防止構造。
【請求項２】
一側端面に正極側突出部を、他側端面に負極側平坦部を有してなる少なくとも１以上の電池を通電可能に収納する電池収納部は、前記電池を収納した際に前記正極側突出部と凸状接点を介して接触させるべく配置される正極側導電金具片を前記凸状接点よりもその座高を高くして該凸状接点周りに配置して位置固定すべく突設された固定用突起を備え、
前記正極側導電金具片は、該正極側導電金具片に設けた通孔を挿通させた前記固定用突起の突出部をカシメ状に溶着して前記電池収納部側に位置固定させることで、前記突状接点を電池収納部側に収納された前記電池における前記正極側突出部との接触のみを可能に配置したことを特徴とする電池収納部における電池誤挿入防止構造。
【発明の詳細な説明】
【技術分野】
【０００１】
本発明は、検電器を含む各種の電池機器が備える電池収納部における電池誤挿入防止構造に関する技術である。
【背景技術】
【０００２】
通常、検電器を含む各種の電池機器は、駆動電源として用いられる乾電池などの各種の電池をその挿脱を自在に収納する電池収納部を備えている。この場合、電池の正極は電池収納部内の正極側電極板と、同負極は電池収納部内の負極側電極板と個別に常時接触させた状態のもとで電池収納部内に収納されことになる。そして、電池機器は、別途配設されている適宜のスイッチ機構を操作することで使用時には電路をＯＮとし、その使用を終えたときには電路をＯＦＦにすることができるようになっている。
【０００３】
しかし、従来からある電池収納構造によるときは、電池を誤挿入することにより電池収納部内の正極側電極板に負極が、負極側電極板に正極が接続されてしまい、電源投入時に通電できなかったり、内部回路に悪影響を及ぼすといった問題があった。
【０００４】
このような電池の誤挿入を防止する先行技術としては、下記特許文献１に示されているように、電池の正極である突起部の直径よりも大径で、かつ、負極の直径よりも細径な切り欠き形状を呈する仕切り板を正極側電極板の手前に介在させることで、誤挿入された際に電池の負極が正極側電極板と非接触となるような構造を採用したものがある。
【特許文献１】特開２００１−３３２２３６号公報
【発明の開示】
【発明が解決しようとする課題】
【０００５】
しかし、特許文献１に開示されている電池の誤挿入防止構造は、あくまでも電池の誤挿入を防止することのみを目的としてわざわざ電池収納部内に仕切り板を設けたものであり、それだけ構造が複雑になってコスト高を招いてしまう不都合があった。
【０００６】
本発明は、従来技術の上記課題に鑑み、電池の誤挿入を防止する目的とは異なる他の目的に供するために設けた構造部位を、電池の誤挿入を防止できる機能をも兼備させることにより、低コストのもとで電池の誤挿入を確実に防止することもできるようにした電池収納部における電池誤挿入防止構造を提供することを目的とする。
【課題を解決するための手段】
【０００７】
本発明は、上記目的を達成すべくなされたものであり、そのうちの第１の発明は、一側端面に正極側突出部を、他側端面に負極側平坦部を有してなる少なくとも１以上の電池を通電可能に収納する電池収納部は、前記電池を収納した際に前記正極側突出部と凸状接点を介して接触させるべく配置される正極側導電金具片を前記凸状接点よりもその座高を高くして該凸状接点周りに配置して位置固定すべく突設された固定用突起を備え、前記正極側導電金具片は、前記固定用突起が位置する部位を切り開いて切欠部を確保して立ち上がらせた固定用爪片の掛止縁を前記切欠部から突出させた前記固定用突起と掛合させて前記電池収納部側に位置固定させることで、前記凸状接点を電池収納部側に収納された前記電池における前記正極側突出部との接触のみを可能に配置したことを最も主要な特徴とする。
【０００８】
また、第２の発明は、一側端面に正極側突出部を、他側端面に負極側平坦部を有してなる少なくとも１以上の電池を通電可能に収納する電池収納部は、前記電池を収納した際に前記正極側突出部と凸状接点を介して接触させるべく配置される正極側導電金具片を前記凸状接点よりもその座高を高くして該凸状接点周りに配置して位置固定すべく突設された固定用突起を備え、前記正極側導電金具片は、該正極側導電金具片に設けた通孔を挿通させた前記固定用突起の突出部をカシメ状に溶着して前記電池収納部側に位置固定させることで、前記突状接点を電池収納部側に収納された前記電池における前記正極側突出部との接触のみを可能に配置したことを最も主要な特徴とする。
【発明の効果】
【０００９】
本発明によれば、正極側導電金具片を位置固定するために設けた固定用突起に対し、電池の誤挿入を防止する機能をも兼備させたことにより、電池収納部に対し正極側導電金具片を位置固定することができるほか、電池の誤挿入を確実に防止することもできるので、製品コストの低減化に有効に寄与させることができる。
【発明を実施するための最良の形態】
【００１０】
図１は、本発明のうちの第１の発明についての対応要部例を、図２は、第２の発明についての対応要部例をそれぞれ拡大して示す断面図である。これらの図によれば、電池収納部１１は、一側端面２に正極側突出部４を、他側端面に図示しない負極側平坦部を有してなる少なくとも１以上の電池１を通電可能に収納すべく形成されている。
【００１１】
すなわち、電池収納部１１は、例えば２以上の乾電池からなる電池１を直列に配列させた上で、その一側端面２に位置する正極側突出部４が正極側導電金具片２１に、他側端面に位置する負極側平坦部が図示しない負極側導電金具片にそれぞれ常時接触する状態のもとで収納できるケーシングなどのように適宜構造を備えて形成されている。なお、電池収納部１１は、図示は省略してあるが、複数の電池１を並列に配列させた状態のもとで収納できる構造を備えているものであってもよい。
【００１２】
この場合、電池１の正極側突出部４との接触を自在に配設される正極側導電金具片２１は、正極側突出部４との接触面２２よりもその座高を高くして正極側導電金具片２１側を挿通させた固定用突起１２を介して、電池１における正極側突出部４との接触のみが自在となって電池収納部１１側に位置固定されている。なお、本発明における固定用突起１２は、１以上の適宜形状のもとで形成することができ、その数と位置とに対応させて正極側導電金具片２１側に挿通構造が形成されることになる。
【００１３】
これを図１に示す第１の発明の一例に基づいてより詳しく説明すれば、正極側導電金具片２１は、その中央位置に電池１の正極側突出部４との当接を自在とした凸状接点２３からなる接触面２２が形成されている。
【００１４】
しかも、正極側導電金具片２１には、凸状接点２３の両隣に位置する各部位に切欠部２４を形成してその基端２５ａ側から凸状接点２３方向へと立ち上がらせ、かつ、その先端部位を適長さ分切除してなる掛止縁２５ｂを有する固定用爪片２５が相互に向き合う配置関係のもとで各別に形成されている。
【００１５】
また、電池収納部１１における各切欠部２４の凸状接点２３寄りでの正極側導電金具片２１との対面部位には、正極側導電金具片２１側を押し付けた際に各固定用爪２５の掛止縁２５ｂと掛合する固定用突起１２が各別に突設されている。
【００１６】
この場合における各固定用突起１２は、それぞれの座高が位置固定時における接触面２２としての凸状接点２３の突出高さよりも高くなるようにして形成されており、これにより電池１が逆装填されてその負極側平坦部（例えば図３における電池１の負極側平坦部５参照）が凸状接点２３と対面する位置関係となっても、該凸状接点２３との接触を阻止する障害物として機能させることができることになる。
【００１７】
一方、第２の発明の一例を図２に基づいて詳しく説明すれば、正極側導電金具片２１は、図１におけると同様に、その中央位置に電池１の正極側突出部４との当接を自在とした凸状接点２３からなる接触面２２が形成されている。
【００１８】
しかも、正極側導電金具片２１には、凸状接点２３の両隣に位置する各部位に通孔２６が形成されており、各通孔２６と対面する電池収納部１１側には、正極側導電金具片２１側を押し付けた際に各通孔２６を介して挿通する固定用突起１２が突設されている。
【００１９】
このため、固定用突起１２は、各通孔２６を挿通させることにより突出部２７として形成することができ、該突出部２７をカシメ状に溶着することで正極側導電金具片２１を電池収納部１１側に位置固定することができる。
【００２０】
この場合においても、溶着後の各突出部２７は、それぞれの座高が位置固定時における接触面２２としての凸状接点２３の突出高さよりも高くなるようにして形成されており、これにより電池１が逆装填されてその負極側平坦面（図示せず）が凸状接点２３と対面する位置関係となっても、該凸状接点２３との接触を阻止する障害物として機能させることができることになる。
【実施例】
【００２１】
図３は、本発明を検電器に適用した場合の実施例を示す分解斜視図であり、図４は、図３における要部構造をその目視位置を変えて（ａ）〜（ｃ）として各別に示す斜視説明図である。
【００２２】
これらの図によれば、電池収納部１１としての機能も兼備させた検電器３１は、電池１として２本の乾電池が直列接続された状態で収納される筒状本体部３２と、該筒状本体部３２内の電池１の他側端面３に位置する負極側平坦部５に押出し方向での弾性を伴って接触する負極側導電金具片３７と、電池１の一側端面２に位置する正極側突出部４側へと至る正極電極板３８とを検出回路部３６に各別に付設して筒状本体部３２内に設置される検電用回路体３５と、電池１の正極側突出部４が位置する側の筒状本体部３２に対し所定範囲での回転とその着脱とが自在に施蓋される蓋状スイッチ部４０とを少なくとも備えてその全体が構成されている。なお、図示例は検電器３１であることから、筒状本体部３２の先端部３２ａ側には検電用回路体３５の検出回路部３６の前端部３６ａを覆って保護する透明なキャップ部３９が止着されている。
【００２３】
この場合、筒状本体部３２の頂端部３２ｂ側に施蓋される蓋状スイッチ部４０は、例えば円形の天板部４１と、該天板部４１から垂設された周壁部４２とで一体形成されており、その覆設時に該周壁部４２の開放端面４２ａを介して筒状本体部３１の鍔部３３側との当接が自在となっている。
【００２４】
しかも、蓋状スイッチ部４０における周壁部４２の内周面４３は、筒状本体部３１の頂端部３２ｂ側との間で必要となる動きに対応合致させることができる適宜の内部構造を付与することにより形成されている。
【００２５】
また、蓋状スイッチ部４０には、図４（ｃ）に示すように天板部４１の内側面４１ａと周壁部４２の内周面４３とを介して正極側導電金具片２１が設置されており、該正極側導電金片２１により図３に示す正極電極板３８の側の接点部３８ａと、検電回路体３５が備える負極側導電金具片３７が生成するばね力により押出し方向に付勢されてその開蓋時に頂端部３２ｂ側からやや突出するように収容されている電池１の正極側突出部４との間を短絡させることができるようになっている。
【００２６】
この場合、正極側導電金具片２１の長さ方向さ方向での中央位置には、図４（ａ）からも明らかなように電池１の正極側突出部４との当接が自在な接触面２２である凸状接点２３が突設されているほか、該凸状接点２３の両隣に位置する各部位には、切り開くことにより切欠部２４を形成して基端２５ａ側から凸状接点２３方向へと立ち上がらせ、かつ、その先端部位を適長さ分切除してなる固定用爪片２５が相互に向き合う配置関係で各別に形成されている。
【００２７】
また、各切欠部２４の凸状接点２３寄りに位置する部位と対面する天板部４１の内側面４１ａには、図４（ｃ）に示すように天板部４１側へと正極導電金具片２１を押し付けた際に各固定用爪片２５の掛止縁２５ｂと掛合する固定用突起１２が各別に突設されている。
【００２８】
この場合における各固定用突起１２は、それぞれの座高がその位置固定時に凸状接点２３の突出高さよりも高くなるようにして形成されており、これにより電池１が逆装填されて負極側平坦部５が凸状接点２３と対面する位置関係となっても該凸状接点２３との接触を阻止する障害物として機能させることができることになる。
【００２９】
次に、上記構成からなる本発明の作用効果を図１に示す第１の発明の一例に基づいて説明すれば、正極側導電金具片２１は、その中央位置に電池１の正極側突出部４との当接を自在とした凸状接点２３からなる接触面２２が形成されており、該正極側導電金具片２１には、凸状接点２３の両隣に位置する各部位に切欠部２４を形成してその基端２５ａ側から凸状接点２３方向へと立ち上がらせ、かつ、その先端部位を適長さ分切除してなる掛止縁２５ｂを有する固定用爪片２５が相互に向き合う配置関係のもとで各別に形成されている。
【００３０】
また、電池収納部１１における正極側導電金具片２１との対面部位には、該正極側導電金具片２１側を押し付けた際に各固定用爪２５の掛止縁２５ｂと掛合する固定用突起１２が各別に突設されているので、正極側導電金具片２１を電池収納部１１側に確実に位置固定することができる。
【００３１】
しかも、各固定用突起１２は、座高が位置固定時における接触面２２としての凸状接点２３の突出高さよりも高くなるようにして形成されているので、電池１が逆装填されて例えば図３における負極側平坦部５が凸状接点２３と対面する位置関係となっても、該凸状接点２３との接触を確実に阻止する障害物として機能させることができる。
【００３２】
したがって、図１に示す第１の発明の一例や図２に示す第２の発明の一例によれば、電池収納部１１内への電池１の誤挿入を確実に防止することができる。このような作用効果は、図４に示す実施例においても同様にして得ることができる。
【００３３】
つまり、本発明によれば、正極側導電金具片２１を位置固定するために設けた固定用突起１２に対し、電池１の誤挿入を防止する機能をも兼備させたことにより、電池収納部１１に対し正極側導電金具片２１を位置固定することができるほか、電池１の誤挿入を確実に防止することもできるので、製品コストの低減化に有効に寄与させることができる。
【産業上の利用可能性】
【００３４】
本発明は、正極側導電金具片２１を有する電池収納部１１を備えているものでさえあれば、検電器３１を含む各種の電池機器に対し容易に適用することができる汎用性を備えている。
【図面の簡単な説明】
【００３５】
【図１】第１の発明の対応要部例を拡大して示す断面図。
【図２】第２の発明の対応要部例を拡大して示す断面図。
【図３】本発明を検電器に適用した場合の実施例を示す分解斜視図。
【図４】図３における要部構造をその目視位置を変えて（ａ）〜（ｃ）として各別に示す斜視説明図。
【符号の説明】
【００３６】
１  電池
２  一側端面
３  他側端面
４  正極側突出部
５  負極側平坦部
１１  電池収納部
１２  固定用突起
２１  正極側導電金具片
２２  接触面
２３  凸状接点
２４  切欠部
２５  固定用爪片
２５ａ  基端
２５ｂ  掛止縁
２６  通孔
２７  突出部
３１  検電器
３２  筒状本体部
３２ａ  先端部
３２ｂ  頂端部
３３  鍔部
３５  検電用回路体
３６  検出回路部
３６ａ  前端部
３６ｂ  後端部
３７  負極側導電金具片
３８  正極電極板
３８ａ  接点部
３９  キャップ部
４０  蓋状スイッチ部
４１  天板部
４１ａ  内側面 
４２  周壁部
４２ａ  開放端面
４３  内周面
【図１】
0004804722.tif 000002
【図２】
0004804722.tif 000003
【図３】
0004804722.tif 000004
【図４】
0004804722.tif 000005